(57)【要約】【課題】電極板とタブとを信頼性をもって溶着でき、且つ、外装体と電極板との短絡を確実に防止できる、積層型電池の製造方法を提供すること。【解決手段】本発明による製造方法は、有効領域ｂ１及び有効領域ｂ１に隣接する接続領域ａ１を含む第１電極集電体１１Ｘとこの第１電極集電体１１Ｘの少なくとも一方の面の有効領域ｂ１に積層された第１電極活物質層１２Ｘとを有する第１電極板１０Ｘと、第２電極板２０Ｙと、を交互に積層する工程と、複数の第１電極板１０Ｘの第１電極集電体１１Ｘの接続領域ａ１を重ね、接合部において互いに接合するとともに電気的に接続する工程と、第１電極板１０Ｘの第１電極集電体１１Ｘを、接合部の有効領域ｂ１側とは反対側となる位置において、切断して、第１電極板１０Ｘの第１電極集電体１１Ｘの端部位置を揃える工程と、を備えている。【選択図】図３
2019212439.tif 000002
【特許請求の範囲】
【請求項１】
有効領域及び前記有効領域に隣接する接続領域を含む第１電極集電体と前記第１電極集電体の少なくとも一方の面の前記有効領域に積層された第１電極活物質層とを有する第１電極板と、第２電極板と、を交互に積層する工程と、
複数の前記第１電極板の前記第１電極集電体の前記接続領域を重ね、接合部において互いに接合するとともに電気的に接続する工程と、
前記第１電極板の前記第１電極集電体を、前記接合部の前記有効領域側とは反対側となる位置において、切断して、前記第１電極板の前記第１電極集電体の端部位置を揃える工程と、を備える、積層型電池の製造方法。
【請求項２】
前記第１電極集電体の端部位置を揃える工程の後に実施される工程であって、
複数の前記第１電極板の前記第１電極集電体を第１タブと接合し且つ電気的に接続する工程と、を更に備える、請求項１に記載の積層型電池の製造方法。
【請求項３】
前記第１電極集電体を電気的に接続する工程において、複数の前記第１電極板の前記第１電極集電体の前記接続領域を第１タブ上で重ね、接合部において前記第１タブとも接合し且つ電気的に接続する、請求項１に記載の積層型電池の製造方法。
【請求項４】
前記第１電極集電体を電気的に接続する工程において、複数の前記第１電極板の前記第１電極集電体を、超音波接合により、接合するとともに電気的に接続する、請求項１〜３のいずれか一項に記載の積層型電池の製造方法。
【請求項５】
前記第１電極集電体を電気的に接続する工程において、前記第１電極板及び前記第２電極板の積層方向における一側に位置する第１群の第１電極板の前記第１電極集電体の前記接続領域を重ね、接合部において互いに接合するとともに電気的に接続し、前記積層方向における他側に位置する第２群の第１電極板の前記第１電極集電体の前記接続領域を重ね、接合部において互いに接合するとともに電気的に接続し、
前記第１電極集電体の端部位置を揃える工程において、前記第１群の第１電極板の前記第１電極集電体を、前記接合部の前記有効領域側とは反対側となる位置において、切断して、前記第１群の第１電極板の前記第１電極集電体の端部位置を揃え、前記第２群の第１電極板の前記第１電極集電体を、前記接合部の前記有効領域側とは反対側となる位置において、切断して、前記第２群の第１電極板の前記第１電極集電体の端部位置を揃える、請求項１〜４のいずれか一項に記載の積層型電池の製造方法。
【請求項６】
前記第１群の第１電極板の前記第１電極集電体は第１タブの一方の面上に接合されて前記第１タブと電気的に接続し、前記第２群の第１電極板の前記第１電極集電体は第１タブの他方の面上に接合されて前記第１タブと電気的に接続する、請求項５に記載の積層型電池の製造方法。
【請求項７】
前記第２電極板は、有効領域と前記有効領域に隣接する接続領域とを含む第２電極集電体と、前記第２電極板の少なくとも一方の面の前記有効領域に積層された第２電極活物質層と、を有し、
複数の前記第２電極板の前記第２電極集電体の前記接続領域を重ね、接合部において互いに接合するとともに電気的に接続する工程と、
前記第２電極板の前記第２電極集電体を、前記接合部の前記有効領域側とは反対側となる位置において、切断して、前記第２電極板の前記第２電極集電体の端部位置を揃える工程と、を更に備える、請求項５又は６に記載の積層型電池の製造方法。
【請求項８】
前記第１電極板及び前記第２電極板の積層方向に交互に積層された前記第１電極板及び前記第２電極板の厚みは、４ｍｍ以上である、請求項１〜７のいずれか一項に記載の積層型電池の製造方法。
【請求項９】
前記積層型電池は、前記第１電極板及び前記第２電極板を、それぞれ、１０以上含む、請求項１〜８のいずれか一項に記載の積層型電池の製造方法。
【発明の詳細な説明】
【技術分野】
【０００１】
本発明は、積層型電池に関する。
【背景技術】
【０００２】
例えば特許文献１で提案されているように、正極板と負極板とを交互に積層してなる積層型電池が広く普及している。積層型電池の一例として、リチウムイオン二次電池が例示され得る。リチウムイオン二次電池は、他の形式の積層型電池と比較して大容量であることを特徴の一つとしている。このような特徴を有するリチウムイオン二次電池は、今般、車載用途や定置住宅用途等の種々の用途での更なる普及を期待されている。
【０００３】
図１０は、従来の積層型電池１ｃを示す概略断面図である。図１０に示すように、積層型電池１ｃは、交互に積層される正極板１０Ｘ及び負極板２０Ｙと、正極板１０Ｘ及び負極板２０Ｙの間に設けられる絶縁体３０と、を含む積層体５ｃに加え、この積層体５ｃを収容する外装体３と、を有している。一般に、正極板１０Ｘ及び負極板２０Ｙは、活物質が塗布される有効領域である電極領域ｂ１、ｂ２とこの電極領域ｂ１、ｂ２に隣接する接続領域（端部領域）ａ１、ａ２とを含む。そして、正極板１０Ｘ及び負極板２０Ｙのそれぞれの接続領域ａ１、ａ２が電極板１０Ｘ、２０Ｙごとに設けられた別個のタブ４上にて重ねられて、正極板１０Ｘ及び負極板２０Ｙと対応するタブ４Ｘ、４Ｙとが電気的に接続される。
【０００４】
通常、複数の正極板１０Ｘが積層方向ｄＬに順次積層され、その後、当該複数の正極板１０Ｘのそれぞれの接続領域ａ１が第１層目の正極板１０Ｘを含む平面上に位置付けられるタブ４Ｘ上に重ねられる（束ねられる）。各正極板１０Ｘの接続領域ａ１は互いに同一の長さを有しているため、積層方向と直交し且つ電極領域ｂ１及び接続領域ａ１の配列方向に沿った断面において、タブ４Ｘ上に重ねられた各接続領域ａ１の端部位置は、積層するにつれて電極領域ｂ１の側（図１０における左方）にずれることになる。
【０００５】
一般に、正極板１０Ｘの端部領域ａ１、ａ２は、超音波溶接によって接合される。この場合、正極板１０においては、積層方向ｄＬから見て全ての正極集電体１１Ｘの端部領域ａ１が重なっている領域Ｚのみが溶着される。この領域Ｚの寸法は、最後に積層される（図１０における最上層の）正極板１０Ｘの端部領域ａ１の端部位置に依存する。このため、正極板１０Ｘの積層数が増大するほど、正極板１０Ｘの端部領域ａ１の溶着部の面積が減少し、電気抵抗が上昇するおそれがある。
【０００６】
以上の問題を回避するためには、接続領域ａ１、ａ２の長さを長くすればよいとも考えられる。しかしながら、この場合、正極板１０Ｘ及び／又は負極板２０Ｙの接続領域ａ１、ａ２が積層型電池１ｃの外装体３の封止部分Ｅに挟み込まれてしまうおそれがある。外装体３は、一般的に、バリヤー性や強度の観点から金属、例えばアルミニウム合金を用いて製造された本体部と、本体部の内面側に設けられた絶縁コーティング層と、を有している。この絶縁コーティング層により、電極板と外装体の本体部との短絡が防止されてはいるが、絶縁コーティング層にピンホール等の欠陥が生じてしまう場合がある。この場合、外装体と電極板とが短絡してしまい、積層型電池が予定した機能を発揮しなくなってしまう。
【先行技術文献】
【特許文献】
【０００７】
【特許文献１】特開２０１３−１８２７１５号公報
【発明の概要】
【発明が解決しようとする課題】
【０００８】
本発明は、以上の点に鑑みて創案されたものである。すなわち、本発明の目的は、電極板とタブとを信頼性をもって溶着でき、且つ、外装体と電極板との短絡を確実に防止できる、積層型電池の製造方法を提供することである。
【課題を解決するための手段】
【０００９】
本発明による積層方法は、有効領域及び前記有効領域に隣接する接続領域を含む第１電極集電体と前記第１電極集電体の少なくとも一方の面の前記有効領域に積層された第１電極活物質層とを有する第１電極板と、第２電極板と、を交互に積層する工程と、
複数の前記第１電極板の前記第１電極集電体の前記接続領域を重ね、接合部において互いに接合するとともに電気的に接続する工程と、
前記第１電極板の前記第１電極集電体を、前記接合部の前記有効領域側とは反対側となる位置において、切断して、前記第１電極板の前記第１電極集電体の端部位置を揃える工程と、を備える。
【００１０】
以上の積層方法は、前記第１電極集電体の端部位置を揃える工程の後に実施される工程であって、
複数の前記第１電極板の前記第１電極集電体を第１タブと接合し且つ電気的に接続する工程と、を更に備えていて良い。
【００１１】
前記第１電極集電体を電気的に接続する工程において、複数の前記第１電極板の前記第１電極集電体の前記接続領域を第１タブ上で重ね、接合部において前記第１タブとも接合し且つ電気的に接続して良い。
【００１２】
前記第１電極集電体を電気的に接続する工程において、複数の前記第１電極板の前記第１電極集電体を、超音波接合により、接合するとともに電気的に接続して良い。
【００１３】
前記第１電極集電体を電気的に接続する工程において、前記第１電極板及び前記第２電極板の積層方向における一側に位置する第１群の第１電極板の前記第１電極集電体の前記接続領域を重ね、接合部において互いに接合するとともに電気的に接続し、前記積層方向における他側に位置する第２群の第１電極板の前記第１電極集電体の前記接続領域を重ね、接合部において互いに接合するとともに電気的に接続し、
前記第１電極集電体の端部位置を揃える工程において、前記第１群の第１電極板の前記第１電極集電体を、前記接合部の前記有効領域側とは反対側となる位置において、切断して、前記第１群の第１電極板の前記第１電極集電体の端部位置を揃え、前記第２群の第１電極板の前記第１電極集電体を、前記接合部の前記有効領域側とは反対側となる位置において、切断して、前記第２群の第１電極板の前記第１電極集電体の端部位置を揃えて良い。
【００１４】
この場合、前記第１群の第１電極板の前記第１電極集電体は第１タブの一方の面上に接合されて前記第１タブと電気的に接続し、前記第２群の第１電極板の前記第１電極集電体は第１タブの他方の面上に接合されて前記第１タブと電気的に接続して良い。
【００１５】
前記第２電極板は、有効領域と前記有効領域に隣接する接続領域とを含む第２電極集電体と、前記第２電極板の少なくとも一方の面の前記有効領域に積層された第２電極活物質層と、を有し、
複数の前記第２電極板の前記第２電極集電体の前記接続領域を重ね、接合部において互いに接合するとともに電気的に接続する工程と、
前記第２電極板の前記第２電極集電体を、前記接合部の前記有効領域側とは反対側となる位置において、切断して、前記第２電極板の前記第２電極集電体の端部位置を揃える工程と、を更に備えていて良い。
【００１６】
前記第１電極板及び前記第２電極板の積層方向に交互に積層された前記第１電極板及び前記第２電極板の厚みは、４ｍｍ以上であって良い。
【００１７】
また、前記積層型電池は、前記第１電極板及び前記第２電極板を、それぞれ、１０以上含んでいて良い。
【発明の効果】
【００１８】
本発明によれば、電極板とタブとを信頼性をもって溶着でき、且つ、外装体と電極板との短絡を確実に防止できる、積層型電池の製造方法を提供することができる。
【図面の簡単な説明】
【００１９】
【図１】本発明の一実施の形態による積層型電池を示す概略斜視図である。
【図２】図１の積層型電池を示す概略平面図である。
【図３】図２のIII-III線に沿った断面図である。
【図４Ａ】積層型電池の製造方法の一例を説明するための図である。
【図４Ｂ】積層型電池の製造方法の一例を説明するための図である。
【図５】積層型電池の製造方法の一例を説明するための図である。
【図６】積層型電池の製造方法の一例を説明するための図である。
【図７】積層型電池の製造方法の一例を説明するための図である。
【図８】積層型電池の製造方法の一例を説明するための図である。
【図９】積層型電池の変形例を説明するための図である。
【図１０】従来の積層型電池を示す概略断面図である。
【発明を実施するための形態】
【００２０】
以下、図面を参照して本発明の一実施の形態について説明する。なお、本件明細書に添付する図面においては、理解のしやすさの便宜上、適宜縮尺及び縦横の寸法比等を、実物のそれらから変更し誇張してある。
【００２１】
図１は、本発明の一実施の形態による積層型電池１を示す概略斜視図である。また、図２は、図１の概略平面図であり、図３は、図２のIII-III線に沿った断面図である。
【００２２】
以下に説明する一実施の形態において、積層型電池１は、外装体３と、外装体３内に収容された膜電極接合体５と、膜電極接合体５に接続されて外装体３の内部から外部へと延び出したタブ４と、を有している。このうち膜電極接合体５は、交互に積層された第１電極板１０及び第２電極板２０を有している。このような積層型電池１は、電極板１０，２０とタブ４との電気的接続が確保されないと、予定した機能を発揮することができない。本実施の形態に係る積層型電池１は、以下に説明するように、積層型電池１に含まれる複数の電極板１０、２０とタブ４との接合を安定させるための工夫がなされており、性能及び信頼性の両面において優れている。また、本実施の形態に係る積層型電池の製造方法は、以下に説明するように、性能及び信頼性に優れた積層型電池を高い歩留まりを維持しながら短時間で製造するための工夫がなされており、これにより、積層型電池１の生産性が向上される。
【００２３】
以下において、積層型電池１がリチウムイオン二次電池を構成する例について説明する。この例において、第１電極板１０は正極板１０Ｘを構成し、第２電極板２０は負極板２０Ｙを構成するものとする。ただし、以下に説明する作用効果の記載からも理解され得るように、ここで説明する一実施の形態は、リチウムイオン二次電池に限定されることなく、第１電極板１０及び第２電極板２０を交互に積層してなる積層型電池１に広く適用され得る。
【００２４】
外装体３は、膜電極接合体５を封止するための包装材である。外装体３は、一例として、支持基材と、この支持基材に積層された接着層と、を有する。支持基材は、高ガスバリア性と成形加工性を有することが好ましい。このような支持基材として、アルミニウム箔やステンレス箔を用いることができる。一方、接着層は、支持基材を接合するためのシール層として機能する。接着層は、接着性に加え、絶縁性、耐薬品性、熱可塑性等を有していることが好ましい。このような接着層として、ポリプロピレン、変性ポリプロピレン、低密度ポリプロピレン、アイオノマー、エチレン・酢酸ビニルを用いることができる。
【００２５】
タブ４は、積層型電池１における端子として機能する。膜電極接合体５の正極板１０Ｘ（第１電極板１０）に第１タブ４Ｘが電気的に接続し、膜電極接合体５の負極板２０Ｙ（第２電極板２０）に他方の第２タブ４Ｙが電気的に接続している。タブ４は、アルミニウム、ニッケル、ニッケルメッキ銅等を用いて形成され得る。一対のタブ４は、外装体３の内部から、外装体３の外部へと延び出している。なお、外装体３とタブ４との間は、タブ４が延び出す領域において、封止されている。
【００２６】
次に、膜電極接合体５について、図１〜図３に示された具体例を主として参照しながら、説明する。図１〜図３に示すように、膜電極接合体５は、複数の正極板１０Ｘ（第１電極板１０）及び負極板２０Ｙ（第２電極板２０）を有している。正極板１０Ｘ及び負極板２０Ｙは、積層方向ｄＬ（図３参照）に沿って交互に積層されている。膜電極接合体５及び積層型電池１は、全体的に偏平形状を有し、積層方向ｄＬへの厚さが薄く、積層方向ｄＬに直交する方向ｄ１，ｄ２に広がっている。
【００２７】
図示された非限定的な例において、正極板１０Ｘ及び負極板２０Ｙは、長方形形状の外輪郭を有している。正極板１０Ｘ及び負極板２０Ｙは、積層方向ｄＬに直交する第１方向ｄ１に長手方向を有し、積層方向ｄＬ及び第１方向ｄ１の両方に直交する第２方向ｄ２に短手方向を有する。正極板１０Ｘ及び負極板２０Ｙは、第１方向ｄ１にずらして配置されている。より具体的には、複数の正極板１０Ｘは、第１方向ｄ１における一側（図２の右側）に寄って配置され、複数の負極板２０Ｙは、第１方向ｄ１における他側（図２の左側）に寄って配置されている。正極板１０Ｘ及び負極板２０Ｙは、第１方向ｄ１における中央において、積層方向ｄＬに重なり合っている。
【００２８】
正極板１０Ｘ（第１電極板１０）は、図示するように、シート状の外形状を有している。正極板１０Ｘ（第１電極板１０）は、正極集電体１１Ｘ（第１電極集電体１１）と、正極集電体１１Ｘ上に設けられた正極活物質層１２Ｘ（第１電極活物質層１２）と、を有している。リチウムイオン二次電池において、正極板１０Ｘは、放電時にリチウムイオンを放出し、充電時にリチウムイオンを吸蔵する。
【００２９】
正極集電体１１Ｘは、互いに対向する第１面１１ａ及び第２面１１ｂを主面として有している。正極活物質層１２Ｘは、正極集電体１１Ｘの第１面１１ａ及び第２面１１ｂの少なくとも一方の面上に積層される。具体的には、正極集電体１１Ｘの第１面１１ａ又は第２面１１ｂが、膜電極接合体５のうちの積層方向ｄＬにおける最外面を形成する場合、正極集電体１１Ｘの当該面には正極活物質層１２Ｘが設けられない。この正極集電体１１Ｘの配置に関連した構成を除き、積層型電池１に含まれる複数の正極板１０Ｘは、正極集電体１１Ｘの両側に正極活物質層１２Ｘを有し、互いに同一に構成され得る。
【００３０】
正極集電体１１Ｘ及び正極活物質層１２Ｘは、積層型電池１（リチウムイオン二次電池）に適用され得る種々の材料を用いて種々の製法により、作製され得る。一例として、正極集電体１１Ｘは、アルミニウム箔によって形成され得る。正極活物質層１２Ｘは、例えば、正極活物質、導電助剤、バインダーとなる結着剤を含んでいる。正極活物質層１２Ｘは、正極活物質、導電助剤及び結着剤を溶媒に分散させてなる正極用スラリーを、正極集電体１１Ｘをなす材料上に塗工して固化させることで、作製され得る。正極活物質として、例えば、一般式ＬｉＭｘＯｙ（ただし、Ｍは金属であり、ｘ及びｙは金属Ｍと酸素Ｏの組成比である）で表される金属酸リチウム化合物が用いられる。金属酸リチウム化合物の具体例として、コバルト酸リチウム、ニッケル酸リチウム、マンガン酸リチウム等が例示され得る。導電助剤としては、アセチレンブラック等が用いられ得る。結着剤としては、ポリフッ化ビニリデン等が用いられ得る。
【００３１】
図２に示すように、正極集電体１１Ｘ（第１電極集電体１１）は、第１端部領域ａ１（接続領域）及び第１電極領域ｂ１（有効領域）を有している。正極活物質層１２Ｘ（第１電極活物質層１２）は、正極集電体１１Ｘの第１電極領域ｂ１のみに配置されている。第１端部領域ａ１及び第１電極領域ｂ１は、第１方向ｄ１に沿って互いに隣接するように配列されている。第１端部領域ａ１は、第１電極領域ｂ１よりも第１方向ｄ１における外側（図２における右側）に位置している。複数の正極集電体１１Ｘは、第１端部領域ａ１において、超音波溶接によって一つのタブ４に接合されている。図示された例では、複数の正極板１０Ｘの第１端部領域ａ１が、第１タブ４Ｘの第１面４Ｘａ上に重ねられて、互いに電気的に接続している。一方、第１電極領域ｂ１は、負極板２０Ｙの後述する負極活物質層２２Ｙに対面する領域内に広がっている。このような第１電極領域ｂ１の配置により、正極活物質層１２Ｘからのリチウムの析出を防止することができる。
【００３２】
図３に示すように、正極板１０Ｘは、正極集電体１１Ｘの第１端部領域ａ１と正極活物質層１２Ｘとに跨がって積層された長さＬの絶縁テープ６Ｘを更に有している。この絶縁テープ６Ｘは、正極板１０Ｘが積層方向ｄＬにおいて隣接する負極板２０Ｙと不所望に接触し短絡してしまうことを確実に防止するためのものである。図３に示す例では、絶縁テープ６Ｘは、各正極集電体１１Ｘに同一の長さＬで設けられている。但し、他の例では、絶縁の機能を十分に発揮し得るかぎり、絶縁テープ６Ｘが互いに異なる長さを有していても良い。また、図示されていないが、他の例では、絶縁テープ６Ｘが各正極集電体１１Ｘの第１面（上面）及び２面（下面）のいずれか一方にのみ設けられていても良い。
【００３３】
図３に示すように、本実施の形態の正極板１０Ｘは、積層方向ｄＬと平行で且つ第１電極領域ｂ１及び第１端部領域ａ１の配列方向と直交する断面（すなわち図３に示す断面）において、複数の正極板１０Ｘの正極集電体１１Ｘの端部位置は、第１タブ４Ｘ上で一致している。換言すれば、正極集電体１１Ｘの長さは、積層方向ｄＬにおいて第１タブ４Ｘから最も離間する正極板１０Ｘで最も長くなり、積層方向ｄＬにおいて第１タブ４Ｘに最も近接する正極板１０Ｘで最も短くなっている。より具体的には、任意選択される一つの正極板１０Ｘの正極集電体１１Ｘの長さは、当該一つの正極板１０Ｘよりも積層方向ｄＬにおいて第１タブ４Ｘに近接する（図３において下方に位置する）他の正極板１０Ｘの正極集電体１１Ｘの長さ以上となっている。
【００３４】
以上のような構成を実現するため、複数の正極板１０Ｘに含まれる最も長い正極集電体１１Ｘ及び最も短い正極集電体１１Ｘは、それらの長さの差が、最も長い正極集電体１１Ｘの第１電極領域ｂ１及び最も短い正極集電体１１Ｘの第１電極領域ｂ１の積層方向ｄＬに沿った離間間隔Ｄと、第１電極領域ｂ１及び第１端部領域ａ１の配列方向（第１方向ｄ１）に沿った絶縁テープ６Ｘの幅Ｌと、の和よりも大きく構成されている。
【００３５】
次に、負極板２０Ｙ（第２電極板２０）について説明する。負極板２０Ｙも、正極板１０Ｘと同様に、シート状の外形状を有している。負極板２０Ｙ（第２電極板２０）は、負極集電体２１Ｙ（第２電極集電体２１）と、負極集電体２１Ｙ上に設けられた負極活物質層２２Ｙ（第２電極活物質層２２）と、を有している。リチウムイオン二次電池において、負極板２０Ｙは、放電時にリチウムイオンを吸蔵し、充電時にリチウムイオンを放出する。
【００３６】
負極集電体２１Ｙの第２電極領域ｂ２は、互い対向する第１面２１ａ及び第２面２１ｂを主面として有している。負極活物質層２２Ｙは、負極集電体２１Ｙの第１面２１ａ及び第２面２１ｂの少なくとも一方の面上に積層される。積層型電池１に含まれる複数の負極板２０Ｙは、負極集電体２１Ｙの両側に設けられた一対の負極活物質層２２Ｙを有するものとして、互いに同一に構成され得る。
【００３７】
負極集電体２１Ｙ及び負極活物質層２２Ｙは、積層型電池１（リチウムイオン二次電池）に適用され得る種々の材料を用いて種々の製法により、作製され得る。一例として、負極集電体２１Ｙは、例えば銅箔によって形成される。負極活物質層２２Ｙは、例えば、炭素材料からなる負極活物質、及び、バインダーとして機能する結着剤を含んでいる。負極活物質層２２Ｙは、例えば、炭素粉末や黒鉛粉末等からなる負極活物質とポリフッ化ビニリデンのような結着剤とを溶媒に分散させてなる負極用スラリーを、負極集電体２１Ｙをなす材料上に塗工して固化することで、作製され得る。
【００３８】
図２に示すように、負極集電体２１Ｙ（第２電極集電体２１）は、第２端部領域ａ２（接続領域）及び第２電極領域ｂ２（有効領域）を有している。負極活物質層２２Ｙ（第２電極活物質層２２）は、負極集電体２１Ｙの第２電極領域ｂ２のみに配置されている。第２端部領域ａ２及び第２電極領域ｂ２は、第１方向ｄ１に沿って互いに隣接するように配列されている。第２端部領域ａ２は、第２電極領域ｂ２よりも第１方向ｄ１における外側（図２における左側）に位置している。複数の負極集電体２１Ｙは、第２端部領域ａ２において、超音波溶接によって一つのタブ４に接合されている。図示された例では、複数の負極板１０Ｙの第２端部領域ａ２が、第２タブ４Ｙの第１面４Ｙａ上に重ねられて、互いに電気的に接続している。一方、第２電極領域ｂ２は、正極板１０Ｘの正極活物質層１２Ｘに対面する領域に広がっている。
【００３９】
図３に示すように、負極板２０Ｙは、負極集電体２１Ｙの第２端部領域ａ２と負極活物質層２２Ｙとに跨がって積層された長さＬの絶縁テープ６Ｙを有している。この絶縁テープ６Ｙは、負極板２０Ｙが積層方向ｄＬにおいて隣接する正極板１０Ｘと不所望に接触し短絡してしまうことを確実に防止するためのものである。図３に示す例では、絶縁テープ６Ｙは、正極板１０Ｘに設けられた絶縁テープ６Ｘと同様に、各負極集電体２１Ｙに同一の長さＬで設けられている。但し、他の例では、絶縁の機能を十分に発揮し得るかぎり、絶縁テープ６Ｙが互いに異なる長さを有していても良い。また、図示されていないが、他の例では、絶縁テープ６Ｙが各負極集電体２１Ｙの第１面（上面）及び２面（下面）のいずれか一方にのみ設けられていても良い。
【００４０】
図３に示すように、本実施の形態の負極板２０Ｙは、積層方向ｄＬと平行で且つ第１電極領域ｂ１及び第１端部領域ａ１の配列方向（第１方向ｄ１）と直交する断面（すなわち図３に示す断面）において、複数の負極板２０Ｙの負極集電体２１Ｙの端部位置は、第２タブ４Ｙ上で一致している。換言すれば、負極集電体２Ｙの長さは、積層方向ｄＬにおいて第２タブ４Ｙに最も離間する負極板２０Ｙで最も長くなり、積層方向ｄＬにおいて第２タブ４Ｙに最も近接する負極板２０Ｙで最も短くなっている。より具体的には、任意選択される一つの負極板２０Ｙの負極集電体２１Ｙの長さは、当該一つの負極板２０Ｙよりも積層方向ｄＬにおいて第２タブ４Ｙに近接する（図３において下方に位置する）他の負極板２０Ｙの負極集電体２１Ｙの長さ以上となっている。
【００４１】
以上のような構成を実現するため、複数の負極板２０Ｙに含まれる最も長い負極集電体２１Ｙ及び最も短い負極集電体２１Ｙは、それらの長さの差が、最も長い負極集電体２１Ｙの第２有効領域及び最も短い負極集電体２１Ｙの第２有効領域の積層方向に沿った離間間隔Ｄと、第２電極領域ｂ２及び第２端部領域ａ２の配列方向（第１方向ｄ１）に沿った絶縁テープ６Ｙの幅Ｌと、の和よりも大きく構成されている。
【００４２】
ところで、図３に示すように、正極板１０Ｘ（第１電極板１０）及び負極板２０Ｙ（第２電極板２０）の少なくとも一方が、絶縁体（絶縁層）３０を有するようにしてもよい。絶縁体３０は、正極板１０Ｘ（第１電極板１０）及び負極板２０Ｙ（第２電極板２０）の短絡を防止する機能を担っている。図示された例では、負極板２０Ｙが絶縁体３０を有している。具体的には、絶縁体３０は、各負極板２０Ｙに含まれる一対の負極活物質層２２Ｙを覆っている。そして、負極板２０Ｙは、正極板１０Ｘの正極活物質層１２Ｘと積層方向ｄＬに対面する面が、絶縁体３０によって覆われている。上述した絶縁テープ６Ｘ、６Ｙとこれらの絶縁体３０とが設けられていることにより、正極板１０Ｘと負極板２０Ｙとが不所望に短絡することが確実に回避される。なお、図示された絶縁体３０に代えて、或いはこれに加えて、各正極板１０Ｘに含まれる一対の正極活物質層１２Ｘを覆う絶縁体を設置することも可能である。
【００４３】
図示された例において、絶縁体３０は、電解質層３０Ａとしても機能する。電解質層３０Ａは、活物質層２２Ｙ，１２Ｘ上に塗工した電解液を活物質層２２Ｙ，１２Ｘ上で固化又はゲル化させてなる層である。電解液として、例えば、高分子マトリックス及び非水電解質液（すなわち、非水溶媒及び電解質塩）からなり、ゲル化されて表面に粘着性を生じるもの、或いは、高分子マトリックス及び非水溶媒からなり、固体電解質となるものを用いることができる。絶縁体３０及び電解質層３０Ａを作製するための具体的な材料は、特に制限はなく、これらを構成するために用いられている種々の材料（例えば、特開２０１２−１９０５６７号公報に開示された材料）を用いることができる。
【００４４】
また、上述した膜電極接合体５は、正極板１０Ｘ及び負極板２０Ｙを、それぞれ、１０以上含んでいてもよい。例えば、膜電極接合体５は、正極板１０Ｘ及び負極板２０Ｙを、それぞれ、１０枚以上７０枚以下含んでいてもよい。また、この場合、積層方向ｄＬに交互に積層された正極板１０Ｘ及び負極板２０Ｙの合計厚みは、４ｍｍ以上であってもよい。このように正極板１０Ｘ及び負極板２０Ｙの積層数を多くすることにより、大容量型の積層型電池が構成され得る。
【００４５】
次に、図４Ａ〜図９を参照して、リチウムイオン二次電池として構成された本実施の形態に係る積層型電池１の製造方法について説明する。各図は、積層型電池の製造方法の一例を説明するための図である。
【００４６】
まず、正極板１０Ｘ（第１電極板１０）及び負極板２０Ｙ（第２電極板２０）をそれぞれ作製する。この際、正極板１０Ｘ及び負極板２０Ｙは、別々の工程により別々のタイミングで作製されてもよい。また、正極板１０Ｘ及び負極板２０Ｙは、並行して同時に作製され、作製された正極板１０Ｘ及び負極板２０Ｙが、順次、正極板１０Ｘ及び負極板２０Ｙを交互に積層する工程に供給されるようにしてもよい。
【００４７】
正極板１０Ｘは、例えば、正極集電体１１Ｘを構成するようになる長尺のアルミニウム箔上に、正極活物質層１２Ｘを構成するようになる組成物（スラリー）を塗工して固化し、次に、所望の大きさに断裁していくことで作製され得る。同様に、負極板２０Ｙは、例えば、負極集電体２１Ｙを構成するようになる長尺の銅箔上に、負極活物質層２２Ｙを構成するようになる組成物（スラリー）を塗工して固化し、次に、所望の大きさに断裁していくことで作製され得る。なお、正極板１０Ｘ及び負極板２０Ｙの少なくとも一方に電解質層３０Ａとして機能する絶縁体３０を付与する場合には、電極板１０Ｘ，２０Ｙをなすようになる断裁前の長尺材上又は断裁後の枚葉材上に電解液を塗布して固化又はゲル化させることで絶縁体３０を作製することができる。
【００４８】
次いで、複数の正極板１０Ｘ（第１電極板１０）の正極集電体１１Ｘ（第１電極集電体１１）の第１端部領域ａ１（接続領域）を第１タブ４Ｘ上に重ねて配置する。また、この際、複数の負極板２０Ｙ（第２電極板２０）の負極集電体２１Ｙ（第２電極集電体２１）の第２端部領域ａ２（接続領域）を第２タブ４Ｙ上に重ねて配置する。この場合、まず、図４Ａに示すように、最初の電極板を準備する。図示された例では、まず、負極板２０Ｙを準備する。
【００４９】
次に、図４Ｂに示すように、正極板１０Ｘが負極板２０Ｙ上に配置される。この際、正極板１０Ｘの正極活物質層１２Ｘと負極板２０Ｙの負極活物質層２２Ｙとが正対するようにして正極板１０Ｘを負極板２０Ｙ上に配置する。
【００５０】
次いで、図５に示すように、負極板２０Ｙ及び正極板１０Ｘを交互に積層していく。この場合においても、正極板１０Ｘの正極活物質層１２Ｘと負極板２０Ｙの負極活物質層２２Ｙとが正対するようにして、正極板１０Ｘ及び負極板２０Ｙを積層していく。このようにして、複数の正極板１０Ｘ及び複数の負極板２０Ｙが交互に積層された膜電極接合体５が得られる。
【００５１】
ところで、各正極板１０Ｘの第１端部領域ａ１は、互いに同一の長さを有している。このため、ｎ番目（ｎは２以上の自然数）に積層した正極板１０Ｘの第１端部領域ａ１の端部位置Ｐ（ｎ）は、ｎ−１番目に積層した正極板１０Ｘの第１端部領域ａ１の端部位置Ｐ（ｎ−１）よりも、第１電極領域ｂ１の側（図５における左側）にずれている。要するに、前述したように、複数の正極板１０Ｘの第１端部領域ａ１の端部は、第１層目の正極板１０Ｘから積層順序が進むにつれて第１電極領域ｂ１の側にずれるため、階段状に積層される。図５に示すように、このような階段状の積層態様は、負極板２０Ｙの端部領域ａ２においても同様である。
【００５２】
次に、図６に示すように、階段状に積層された正極板１０Ｘの第１端部領域ａ１が互いに接合される。この接合は、例えば、超音波溶接機Ｈによって行われる。第１方向ｄ１において、超音波接合によって接合される第１端部領域ａ１の長さは、すべての第１端部領域ａ１が積層方向ｄＬにおいて重なっている長さである。したがって、第１端部領域ａ１が階段状に積層されていることを考慮すると、当該長さは、最後に積層された（図６における最上層の）正極板１０Ｘの第１端部領域ａ１の端部位置Ｐｘによって決定される。位置Ｐｘよりも第１電極領域ｂ１とは反対側（図６における右側）に位置する第１端部領域ａ１は、超音波溶接機によって接合されない。
【００５３】
同様に、図６に示すように、階段状に積層された負極板２０Ｙの第２端部領域ａ２が互いに接合される。この接合も、超音波溶接機Ｈによって行われ得る。この場合も、正極板１０Ｘの第１端部領域ａ１の接合と同様に、第１方向ｄ１において、超音波接合によって接合される第２端部領域ａ２の長さは、すべての第２端部領域ａ２が積層方向ｄＬにおいて重なっている長さである。この長さは、最後に積層された（図６における最上層の）負極板２０Ｙの第２端部領域ａ２の端部位置Ｐｙによって決定される。位置Ｐｙよりも第２電極領域ｂ２とは反対側（図６における左側）に位置する第２端部領域ａ２は、接合されない。
【００５４】
次に、図７に示すように、正極板１０Ｘの第１端部領域ａ１が位置Ｐｘにて切断される。これにより、正極板１０Ｘの第１端部領域ａ１が上述した位置Ｐｘにて切り揃えられる。前述した接合の工程から理解されるように、この切り揃えられた端部では、全ての正極集電体１１Ｘが接合された第１接合部Ｃ１が構成されている。更に、負極板２０Ｙの第２端部領域ａ２が上述した位置Ｐｙにて切断される。これにより、負極板２０Ｙの第２端部領域ａ２が位置Ｐｙにて切り揃えられる。この切り揃えられた端部では、全ての負極集電体２１Ｙが接合された第２接合部Ｃ２が構成されている。
【００５５】
そして、図７に示すように、得られた膜電極接合体５をタブ４上に載置する。この状態で、再び第１端部領域ａ１及び第２端部領域ａ２に向けて超音波溶接機Ｈから超音波が発せられ、各端部領域ａ１、ａ２の各接合部Ｃ１、Ｃ２と対応するタブ４Ｘ、４Ｙとがそれぞれ接合される。
【００５６】
以上のようにして、正極板１０Ｘ及び負極板２０Ｙが交互に積層され、端部領域ａ１、ａ２が切り揃えられた後、複数の正極板１０Ｘが、正極集電体１１Ｘの第１端部領域ａ１において互いに接合され且つ導通するようになる。そして、正極集電体１１Ｘの第１端部領域ａ１に第１タブ４Ｘが電気的に接続される。同様に、複数の負極板２０Ｙが、負極集電体２１Ｙの第２端部領域ａ２において互いに接合され且つ導通するようになる。そして、負極集電体２１Ｙの第２端部領域ａ２に第２タブ４Ｙが電気的に接続される。その後、各タブ４Ｘ、４Ｙが外装体３から延び出るようにして、膜電極接合体５が外装体３内に密封されることで、積層型電池１が得られる。
【００５７】
以上のような本実施の形態によれば、正極板１０Ｘの積層方向と平行で且つ第１電極領域ｂ１及び第１端部領域ａ１の配列方向（第１方向ｄ１）と直交する断面において、複数の正極板１０Ｘの正極集電体１１Ｘの端部位置Ｐｘが、第１タブ４Ｘ上で一致している。このことにより、積層型電池１において、正極板１０Ｘと第１タブ４Ｘとを信頼性をもって接合でき、且つ、外装体と正極板１０Ｘとの短絡を確実に防止することができる。更には、同様の構成が負極板２０Ｙにおいても採用されているため、負極板２０Ｙと第２タブ４Ｙとを信頼性をもって接合でき、且つ、外装体と負極板２０Ｙとの短絡をも、確実に防止することができる。
【００５８】
また、前述したように、正極板１０Ｘは、正極集電体１１Ｘの第１端部領域ａ１と正極活物質層１２Ｘとに跨がって積層された絶縁テープ６Ｘを有している。そして、複数の正極板１０Ｘに含まれる最も長い（図３において最も上側に位置する）正極集電体１１Ｘと最も短い（図３において最も下側に位置する）正極集電体１１Ｘとの長さの差は、最も長い正極集電体１１Ｘの第１電極領域ｂ１及び最も短い正極集電体１１Ｘの第１電極領域ｂ１の積層方向ｄＬに沿った離間間隔Ｄと、第１１電極領域ｂ１及び第１端部領域ａ１の配列方向ｄ１に沿った絶縁テープ６Ｘの幅Ｌと、の和よりも大きい。このため、積層型電池１において、正極集電体１１Ｘの端部領域ａ１の端部位置を揃えつつ、正極板１０Ｘと第１タブ４Ｘとを信頼性をもって接合することができる。同様に、負極板２０Ｙにおいても同様の構成が採用されているため、負極集電体２１Ｙの端部領域ａ２の端部位置を揃えつつ、負極板２０Ｙと第２タブ４Ｙとを信頼性をもって接合することができる。
【００５９】
更に、以上の積層型電池１は、作製される際に、正極板１０Ｘの正極集電体１１Ｘを、接合部Ｃ１の第１電極領域ｂ１の側とは反対側となる位置において、切断して、正極板１０Ｘの正極集電体１１Ｘの端部位置を揃える工程を備えている。このことにより、正極集電体１１Ｘの端部位置が確実に揃えられ、正極板１０Ｘと第１タブ４Ｘとが信頼性をもって接合され得る。同様に、以上の工程は、負極板２０Ｙの負極集電体２１Ｘの端部位置を揃える際にも採用される。このため、負極集電体２１Ｙの端部位置も確実に揃えられ、負極板２０Ｙと第２タブ４Ｙとが信頼性をもって接合され得る。
【００６０】
とりわけ、本発明による積層型電池１を作製する際、正極板１０Ｘの第１端部領域ａ１を接合する工程の後で、上述した切断工程（第１端部領域ａ１を切り揃える工程）が行われ、その後、第１端部領域ａ１が第１タブ４Ｘに接合される。本発明によれば、このような順序で正極板１０Ｘにタブ４Ｘが電気的に接続されるため、各第１端部領域ａ１の接合と、正極板１０Ｘ及びタブ４Ｘの接合とを、高い信頼性をもって提供することができる。
【００６１】
次に、本発明による積層型電池１の変形例について説明する。
【００６２】
図９は、本発明の変形例による積層型電池１Ａを示す概略断面図である。図９に示すように、積層型電池１Ａは、複数の正極板１０Ｘ（第１電極板１０）として、正極集電体１１Ｘ（第１電極集電体１１）の第１端部領域ａ１（接続領域）が第１タブ４Ｘの第１面４Ｘａ上に重ねられて互いに電気的に接続する第１群の正極板１０Ｘａ（第１電極板１０ａ）と、正極集電体１１Ｘの第１端部領域ａ１が第１タブ４Ｘの第２面４Ｘｂ上に重ねられて互いに電気的に接続する第２群の正極板１０Ｘｂ（第１電極板１０ｂ）と、を含むものが用いられている。図９に示すように、第１群の正極板１０Ｘａの正極集電体１１Ｘは、第１タブ４Ｘの第１面４Ｘａ上で端部の位置が揃えられており、且つ、第２群の正極板１０Ｘｂの正極集電体１１Ｘは、第１タブ４Ｘの第２面４Ｘｂ上で端部の位置が揃えられている。
【００６３】
また、正極板１０Ｘと同様に、負極板２０Ｙ（第２電極板２０）として、負極集電体２１Ｙ（第２電極集電体２１）の第２端部領域ａ２（接続領域）が第２タブ４Ｙの第１面４Ｙａ上に重ねられて互いに電気的に接続する第１群の負極板２０Ｙａ（第２電極板２０ａ）と、負極集電体２１Ｙの第２端部領域ａ２が第２タブ４Ｙの第２面４Ｙｂ上に重ねられて互いに電気的に接続する第２群の負極板２０Ｙｂ（第２電極板２０ｂ）と、を含むものが用いられている。図９に示すように、第１群の負極板２０Ｙａの負極集電体２１Ｙは、第２タブ４Ｙの第１面４Ｙａ上で端部の位置が揃えられており、且つ、第２群の負極板２０Ｙｂの負極集電体２１Ｙは、第２タブ４Ｙの第２面４Ｙｂ上で端部の位置が揃えられている。
【００６４】
要するに、本変形例による積層型電池１Ａは、上述した積層型電池１の正極板１０Ｘ及び負極板２０Ｙがタブ４の他方の面（図９における下面）にも設けられている。とりわけ、図示される例では、タブ４の一方の面（図９における上面）に設けられている正極板１０Ｘ及び負極板２０Ｙの構成と、タブ４の他方の面に設けられている正極板１０Ｘ及び負極板２０Ｙの構成とは、タブ４に関して対称的である。
【００６５】
図９に示す積層型電池１を製造する際には、まず、図４Ａ及び図４Ｂを参照して説明したように、正極板１０Ｘ及び負極板２０Ｙが交互に積層される。そして、正極板１０Ｘの正極集電体１１Ｘの第１端部領域ａ１が、互いに積層され（束ねられ）、例えば超音波溶接機Ｈにより接合される。その後、各第１端部領域ａ１が互いに同一の端部位置となるように切り揃えられる。同様に、負極板２０Ｙの負極集電体２１Ｙの第２端部領域ａ２が、互いに積層され（束ねられ）、例えば超音波溶接機Ｈにより接合される。その後、各第２端部領域ａ２が互いに同一の端部位置となるように切り揃えられる。これらの工程により、膜電極接合体５が作製される。
【００６６】
本変形例においては、以上の膜電極接合体５が２組作製される。一方の膜電極接合体５は、タブ４の一方の面に配置されるものであり、他方の膜電極接合体５は、タブ４の他方の面に配置されるものである。ここでは、説明の便宜上、一方の膜電極接合体５の正極板１０Ｘ及び負極板２０Ｙをそれぞれ、第１群の正極板１０Ｘａ及び第１群の負極板２０Ｙａと呼び、他方の膜電極接合体５の正極板１０Ｘ及び負極板２０Ｙをそれぞれ、第２群の正極板１０Ｘｂ及び第２群の負極板２０Ｙｂと呼ぶ。２組の膜電極接合体５の作製方法は、上述した積層型電池１における膜電極接合体５の作製方法と同一であるため、ここではその詳細な説明は省略する（図５〜図７参照）。
【００６７】
そして、第１群の正極板１０Ｘａの第１端部領域ａ１及び第１群の負極板２０Ｙａの第２端部領域ａ２がタブ４の一方の側において当該タブ４に対して位置決めされ、各端部領域ａ１、ａ２が対応するタブ４ａ、４ｂに超音波溶接機Ｈによって接合される。この接合工程は、図８を用いて説明した接合工程と同一である。更に、本変形例では、第２群の正極板１０Ｘｂの第１端部領域ａ１及び第２群の負極板２０Ｙｂの第２端部領域ａ２がタブ４の他方の側において当該タブ４に対して位置決めされ、各端部領域ａ１、ａ２が対応するタブ４ａ、４ｂに超音波溶接機Ｈによって接合される。
【００６８】
以上のようにして、第１群の正極板１０Ｘａと第２群の正極板１０Ｘｂとが、各正極集電体１１Ｘの第１端部領域ａ１において互いに接合され且つ導通するようになる。更に、正極集電体１１Ｘの第１端部領域ａ２に第１タブ４Ｘが電気的に接続される。同様に、第１群の負極板２０Ｙａと第２群の負極板２０Ｙｂとが、各負極集電体２１Ｙの第２端部領域ａ２において互いに接合され且つ導通するようになる。更に、負極集電体２１Ｙの第２端部領域ａ２に第２タブ４Ｙが電気的に接続される。その後、各タブ４Ｘ、４Ｙが外装体３から延び出るようにして、膜電極接合体５が外装体３内に密封されることで、図９に示す積層型電池１Ａが得られる。
【００６９】
以上のような変形例による積層型電池１Ａによっても、上述した積層型電池１と同様の作用効果を奏することができる。
【００７０】
以上の実施の形態及び変形例では、互いに同一の長さを有する複数の正極板１０Ｘ及び負極板２０Ｙを用意し、これら複数の正極板１０Ｘ及び負極板２０Ｙを交互に積層させ、各端部領域ａ１、ａ２をそれぞれ溶着させた後で、当該端部領域ａ１、ａ２を切り揃えるという工程を採用している。しかしながら、正極板１０Ｘ及び負極板２０Ｙの各集電体１１Ｘ、２１Ｙの端部位置を揃える方法は、そのような例には限定されない。例えば、他の実施の形態においては、複数の正極板１０Ｘ及び／又は複数の負極板２０Ｙの長さを異ならせることによって、正極集電体１１Ｘ及び／又は負極集電体２１Ｙの端部位置が揃えられた積層型電池を作製することもできる。
【００７１】
すなわち、複数の正極板１０Ｘの間で、積層方向ｄＬと平行で且つ第１電極領域ｂ１及び第１端部領域ａ１の配列方向ｄ１と直交する断面での正極集電体１１Ｘの長さが一定ではなく、積層方向ｄＬにおいて第１タブ４Ｘから最も離間する正極板１０Ｘの正極集電体１１Ｘの長さが、少なくとも他の一つの正極板１０Ｘの正極集電体１１Ｘの長さよりも、長くなっていて良い。具体的には、正極集電体１１Ｘの長さは、積層方向ｄＬにおいて第１タブ４Ｘに最も離間する正極板１０Ｘで最も長くなり、積層方向ｄＬにおいて第１タブ４Ｘに最も近接する正極板１０Ｘで最も短くなっていて良い。より具体的には、任意選択される一つの正極板１０Ｘの正極集電体１１Ｘの長さは、当該一つの正極板１０Ｘよりも積層方向ｄＬにおいて第１タブ４Ｘに近接する他の正極板１０Ｘの正極集電体１１Ｘの長さ以上となっていて良い。
【００７２】
この場合、各正極板１０Ｘの正極集電体１１Ｘの長さを適正に設定することにより、複数の正極板１０Ｘの正極集電体１１Ｘの端部領域ａ１を第１タブ４Ｘ上に積層させることのみにより、すなわち正極集電体１１Ｘの端部領域ａ１を切断する工程無しで、各正極集電体１１Ｘの端部位置を揃えることができる。もちろん、複数の負極板２０Ｙに対して同様の手法を採用すれば、負極集電体２１Ｙの端部領域ｂ１を切断する工程無しで、各負極集電体２１Ｙの端部位置を揃えることができる。
【００７３】
あるいは、以上の実施の形態及び変形例において、正極集電体１１Ｘ及び負極集電体２１Ｙの少なくとも一方の端部位置に多少のバラツキがあっても良い。具体的には、積層方向ｄＬと平行で且つ第１電極領域ｂ１及び第１端部領域ａ１の配列方向ｄ１と直交する断面において、複数の正極板１０Ｘの正極集電体１１Ｘの端部位置、及び／又は、複数の負極板２０Ｙの負極集電体２１Ｙの端部位置が、それぞれの接合部Ｃの長さの例えば３０％以下の長さを有した第１タブ４Ｘ及び／又は第２タブ４Ｙ上の領域内に位置していても良い。このようにして作成された積層型電池も、上述した実施の形態による積層型電池１と同様の作用効果を奏することができる。
【００７４】
なお、以上において上述した実施の形態に対するいくつかの変形例を説明してきたが、当然に、複数の変形例を適宜組み合わせて適用することも可能である。
【符号の説明】
【００７５】
１        積層型電池
４Ｘ      第１タブ
４Ｘａ    第１面
４Ｘｂ    第２面
４Ｙ      第２タブ
５        膜電極接合体
６Ｘ      絶縁テープ
６Ｙ      絶縁テープ
１０      第１電極板
１０ａ    第１電極板
１０Ｘ    正極板
１０Ｘａ  正極板
１１      第１電極集電体
１１Ｘ    正極集電体
１１ａ    第１面
１１ｂ    第２面
１１ｃ    端面
１１ｄ    端面
１２      第１電極活物質層
１２Ｘ    正極活物質層
２０      第２電極板
２０Ｙ    負極板
２１      第２電極集電体
２１Ｙ    負極集電体
２１ａ    第１面
２１ｂ    第２面
２２      第２電極活物質層
２２Ｙ    負極活物質層
ａ１      第１端部領域
ａ２      第２端部領域
ｂ１      第１電極領域
ｂ２      第２電極領域
【図１】
2019212439.tif 000003
【図２】
2019212439.tif 000004
【図３】
2019212439.tif 000005
【図４Ａ】
2019212439.tif 000006
【図４Ｂ】
2019212439.tif 000007
【図５】
2019212439.tif 000008
【図６】
2019212439.tif 000009
【図７】
2019212439.tif 000010
【図８】
2019212439.tif 000011
【図９】
2019212439.tif 000012
【図１０】
2019212439.tif 000013